(57)【要約】【課題】クラッチ押圧機構部が摩擦板を押圧する力を維持しエンジンの全回転数域で摩擦板とクラッチプレートとの圧着を確保した上で、体力の如何に拘わらず多くの人が自動車の運転を楽しむことを可能とするクラッチ機構体を提供することを目的とする。【解決手段】押圧機構部が回転駆動力出力部と回転駆動力入力部相互を当接させる押圧力を発生する弾性荷重手段と遠心荷重手段とを有し、弾性荷重手段と遠心荷重手段によって発生される押圧荷重値が回転駆動力出力部と回転駆動力入力部相互間が当接状態で保持されて回転駆動力が伝達されるために必要となる滑り限界値以上に維持され、弾性荷重手段によって発生される荷重値が回転駆動力出力部と回転駆動力入力部相互間が当接状態で保持されて回転駆動力が伝達されるために必要となる最大滑り限界値未満に設定されてなる。【選択図】図１
2006189166.tif 000002
【特許請求の範囲】
【請求項１】
回転駆動力入力系に取り付けられた回転駆動力出力部と、回転駆動力出力系に取り付けられた回転駆動力入力部と、前記回転駆動力出力部と前記回転駆動力入力部相互を押圧して前記回転駆動力出力部と前記回転駆動力入力部相互を当接させる押圧機構部と、前記回転駆動力出力部と前記回転駆動力入力部相互を当接させる押圧力を解除する解除手段とを有し、
前記押圧機構部が前記回転駆動力出力部と前記回転駆動力入力部相互を当接させる押圧力を発生する定荷重手段と可変荷重手段とを有してなり、前記定荷重手段と前記可変荷重手段によって発生される押圧荷重値が前記回転駆動力出力部と前記回転駆動力入力部相互間が当接状態で保持されて回転駆動力が伝達されるために必要となる滑り限界値以上に維持され、かつ前記定荷重手段によって発生される荷重値が前記回転駆動力出力部と前記回転駆動力入力部相互間が当接状態で保持されて回転駆動力が伝達されるために必要となる最大滑り限界値未満に設定されてなることを特徴とするクラッチ機構体。
【請求項２】
回転駆動力入力系に取り付けられた回転駆動力出力部と、回転駆動力出力系に取り付けられた回転駆動力入力部と、前記回転駆動力出力部と前記回転駆動力入力部相互を押圧して前記回転駆動力出力部と前記回転駆動力入力部相互を当接させる押圧機構部と、前記回転駆動力出力部と前記回転駆動力入力部相互を当接させる押圧力を解除する解除手段とを有し、
前記押圧機構部が前記回転駆動力出力部と前記回転駆動力入力部相互を当接させる押圧力を発生する弾性荷重手段と遠心荷重手段とを有してなり、前記弾性荷重手段と前記遠心荷重手段によって発生される押圧荷重値が前記回転駆動力出力部と前記回転駆動力入力部相互間が当接状態で保持されて回転駆動力が伝達されるために必要となる滑り限界値以上に維持され、かつ前記弾性荷重手段によって発生される荷重値が前記回転駆動力出力部と前記回転駆動力入力部相互間が当接状態で保持されて回転駆動力が伝達されるために必要となる最大滑り限界値未満に設定されてなることを特徴とするクラッチ機構体。
【請求項３】
前記最大滑り限界値は、前記回転駆動力出力部と前記回転駆動力入力部相互間に滑りを生じさせない押圧力であって、前記回転駆動力入力系から前記回転駆動力出力系に伝達される回転駆動力が最大時の前記回転駆動力出力部と前記回転駆動力入力部相互間の押圧力の下限値として設定される請求項１または請求項２に記載のクラッチ機構体。
【請求項４】
前記押圧機構部は前記回転駆動力出力部に対向して当接可能に配置された第一の押圧部材と、前記回転駆動力入力部に連結された第二の押圧部材とを有し、
前記弾性荷重手段が前記第一の押圧部材と前記第二の押圧部材との間に圧縮して配置されることを特徴とする請求項２に記載のクラッチ機構体。
【請求項５】
前記遠心荷重手段は前記第二の押圧部材に環状位置に配列された複数の支持部と、前記各支持部に支持された遠心機構部とよりなり、
前記遠心機構部は前記支持部にて支持されて揺動可能な揺動部材を有し、前記揺動部材は前記第一の押圧部材側の一端部に形成された作用部と、反対側の端部に備え付けられた質量体とを有することを特徴とする請求項４に記載のクラッチ機構体。
【請求項６】
前記第一の押圧部材、前記第二の押圧部材は同心上に配置され、前記弾性荷重手段はダイヤフラムスプリングであり、そのダイヤフラムスプリングは環状部と、当該環状部から内側方向に延び先端が自由端とされた複数のレバー部とを有し、前記環状部の外周縁は前記第一の押圧部材の外周縁に設けられた突起部にて支持されると共に、前記複数のレバー部が前記第二の押圧部材に支持され、
前記第二の押圧部材の前記各遠心機構部の各揺動部材の各作用部が隣合う各レバー部間のスリット部を挿通して前記第一の押圧部材を付勢可能にしてなることを特徴とする請求項５に記載のクラッチ機構体。
【請求項７】
前記第一の押圧部材と前記ダイヤフラムスプリングとの間に遠心荷重伝達部材が配置され、前記第二の押圧部材の前記各遠心機構部の各作用部が前記遠心荷重伝達部材を介して前記第一の押圧部材を付勢可能にしてなることを特徴とする請求項６に記載のクラッチ機構体。
【請求項８】
前記遠心荷重伝達部材は環状部と、当該環状部の外周縁から外側に向かって延びる複数のプレート部とを有し、
前記プレート部が前記ダイヤフラムスプリングの前記各スリット部に対応する位置に配置されることを特徴とする請求項７に記載のクラッチ機構体。
【請求項９】
前記第二の押圧部材における前記ダイヤフラムスプリングに対抗する側面には隆起部が環状に形成され、
前記隆起部が前記レバー部の前記自由端近傍に当接することによって前記ダイヤフラムスプリングが圧縮して配置されることを特徴とする請求項６乃至請求項８のいずれか一に記載のクラッチ機構体。
【請求項１０】
前記隆起部の内径は、前記弾性荷重手段によって発生される荷重値が前記最大滑り限界値未満となるように決定されてなることを特徴とする請求項９に記載のクラッチ機構体。
【発明の詳細な説明】
【技術分野】
【０００１】
本発明は、自動二輪車や自動四輪車等の自動車に適用されるクラッチ機構体に関するものである。
【背景技術】
【０００２】
クラッチ機構は、回転駆動力入力系（以下、「入力系」と称する。）を介して入力される回転駆動力を回転駆動力出力系（以下、「出力系」と称する。）に伝達すると共にその伝達の解除を行う。このクラッチ機構は、入力系に連結された摩擦板と、出力系に連結され摩擦板と圧着するクラッチプレートとを有する。すなわち、入力系と出力系の連結および解除は、摩擦板とクラッチプレートとの圧着および解除によって行われる。
【０００３】
以上の摩擦板とクラッチプレートとの圧着は、摩擦板をクラッチプレートに押圧することによって行われ、その摩擦板の押圧はクラッチ押圧機構部によって行われる。このクラッチ押圧機構部は、摩擦板を直接押圧するプレッシャープレートと、プレッシャープレートに押し付け力を与える弾性部材と、弾性部材のスプリング部に荷重を加えるリテーナとを有してなる。
【０００４】
この弾性部材のスプリング荷重は、以下のように決定される。まず、自動車、例えば自動二輪車の最大トルク値から摩擦板とクラッチプレートとが滑りを起こさないために必要となる必要クラッチ荷重を求める。そして、プレッシャープレートが摩擦板を押圧する荷重が必要クラッチ荷重以上の値となるように弾性部材のスプリング荷重が決定される。
【０００５】
以上のように弾性部材のスプリング荷重は最大トルク値を基準として決定され、エンジン回転数には関係なく一定に設定される。これにより、全ての回転数領域で摩擦板とクラッチプレートの滑りを防止することができる。
【０００６】
しかし、その反面、最大トルク値を基準として弾性部材のスプリング荷重が決定されるため、エンジントルクの大きい自動車の場合には、必然的にスプリング荷重は大きくなる。
【０００７】
ここで、特に自動二輪車の場合、クラッチ押圧機構部に備えられて摩擦板を直接押圧するプレッシャープレートはドライバーが操作するクラッチレバーによって操作される。すなわち、ドライバーがクラッチレバーを握ることによって、プレッシャープレートが弾性部材のスプリング荷重に抗して移動し、プレッシャープレートによる摩擦板に対する押圧が解除される。これによりクラッチプレートと摩擦板との圧着が解除されて、入力系を介して入力される回転駆動力の出力系への伝達の解除、すなわちいわゆる「クラッチの切断」が行われる。このように、ドライバーは、「クラッチの切断」を行うときには、弾性部材のスプリング荷重に打ち勝つ力でクラッチレバーを握り、クラッチ操作を行わなければならない。
【０００８】
したがって、エンジントルクが大きい自動二輪車を運転する場合、ドライバーはクラッチレバーの手動操作に大きな力を必要とする傾向にあり、ドライバーにとっては大きな負担となる。
【０００９】
実際、エンジントルクの大きい自動二輪車を長時間運転する場合や、ギアチェンジを繰り返さなければならない交通量の多い道路を運転する場合には、ドライバーの握力は低下し易くなる。このような場合に対応するためには、握力その他の体力が充実し、さらに円滑なギアチェンジが可能であるような高い運転技術が必要とされる。このような事情から、自動二輪車を楽しむことができる人は一部の人に限定されるということがあった。また、特に、女性の場合には、握力が弱いことが多いためクラッチレバー操作自体の困難性に起因して、楽しむことができる車種が限定されてしまうことがあった。
【００１０】
そこで、クラッチレバーの操作に要する力を低減させる方法として、プレッシャープレートの移動幅を従来よりも短くする方法がある。しかし、この方法では、プレッシャープレートによる摩擦板に対する押圧を解除し、摩擦板とクラッチプレートとの圧着が確実に解除された状態を確保するための精度の実現が容易ではなかった。
【００１１】
また、日本特開平８−６１３８９号公報には、弾性部材であるダイヤフラムスプリングを有するクラッチ押圧組立体におけるクラッチペダルの荷重を軽減させる構造として、クラッチ連結時には、レバー機構によって押圧部材の押圧力が倍力され、より大きな押圧力がプレッシャープレートに作用し、レバー機構のレバー部材のレバー比を調整することによって、ダイヤフラムスプリングの押圧力を小さく設定し、クラッチペダルの踏力を低減させる構造が開示されている。
【００１２】
しかし、このクラッチ押圧組立体では定荷重のダイヤフラムスプリングからなる弾性部材のみが用いられ、その定荷重のスプリング荷重を小さく設定すれば、プレッシャープレートが摩擦板を押圧する荷重はエンジンの全回転数域で減少する。従って、エンジン回転数が大きくなった場合等、エンジンの全回転数域で摩擦板とクラッチプレートとの圧着が確保されているということはできない。
【００１３】
以上のように、クラッチレバーの操作に要する力を低減するという要請と、クラッチ押圧機構部が摩擦板を押圧する力を大きくするという要請とを同時に充足し、さらにはエンジンの全回転数域で摩擦板とクラッチプレートとの圧着を確保するということは必ずしも容易ではなかった。
【００１４】
【特許文献１】特開平８−６１３８９号公報
【発明の開示】
【発明が解決しようとする課題】
【００１５】
そこで、本発明は、クラッチ押圧機構部が摩擦板を押圧する力を維持しエンジンの全回転数域で摩擦板とクラッチプレートとの圧着を確保した上で、体力の如何に拘わらず多くの人が自動車の運転を楽しむことを可能とするクラッチディスク押圧組立体を提供することを目的とする。
【課題を解決するための手段】
【００１６】
本発明に係るクラッチ機構体は、回転駆動力入力系に取り付けられた回転駆動力出力部と、回転駆動力出力系に取り付けられた回転駆動力入力部と、前記回転駆動力出力部と前記回転駆動力入力部相互を押圧して前記回転駆動力出力部と前記回転駆動力入力部相互を当接させる押圧機構部と、前記回転駆動力出力部と前記回転駆動力入力部相互を当接させる押圧力を解除する解除手段とを有し、前記押圧機構部が前記回転駆動力出力部と前記回転駆動力入力部相互を当接させる押圧力を発生する定荷重手段と可変荷重手段とを有してなり、前記定荷重手段と前記可変荷重手段によって発生される押圧荷重値が前記回転駆動力出力部と前記回転駆動力入力部相互間が当接状態で保持されて回転駆動力が伝達されるために必要となる滑り限界値以上に維持され、かつ前記定荷重手段によって発生される荷重値が前記回転駆動力出力部と前記回転駆動力入力部相互間が当接状態で保持されて回転駆動力が伝達されるために必要となる最大滑り限界値未満に設定されてなることを特徴とする。
【００１７】
ここで、滑り限界値とは、回転駆動力出力部と回転駆動力入力部相互間に滑りを生じさせないために必要となる前記回転駆動力出力部と前記回転駆動力入力部相互の押圧力の下限値として設定される荷重である。具体的には、エンジンのトルク値を基準としてエンジンやクラッチ等の特性に基づいて算出される荷重である。
【００１８】
また、最大滑り限界値とは、回転駆動力入力系から回転駆動力出力系に伝達される回転駆動力が最大時における滑り限界値である。
【００１９】
本発明によれば、定荷重手段によって発生される荷重値を最大すべり限界値未満に設定したので、ドライバーがクラッチレバーを操作するのに必要な力を低減させることができる。かつ定荷重手段および可変荷重手段によって発生される荷重値を滑り限界値以上に設定したので、エンジン出力に関係なく回転駆動力出力部と回転駆動力入力部との圧着力を確保することができる。
【００２０】
本発明に係るクラッチ機構体は、前記押圧機構部は前記回転駆動力出力部に対向して当接可能に配置された第一の押圧部材と、前記回転駆動力入力部に連結された第二の押圧部材とを有し、前記弾性荷重手段が前記第一の押圧部材と前記第二の押圧部材との間に圧縮して配置されることを特徴とする。
【００２１】
係る構成を備えることで、弾性荷重手段が第一の押圧部材を回転駆動力出力部側に付勢する。これによって、弾性荷重手段によって発生される荷重値が設定される。
【００２２】
本発明に係るクラッチ機構体は、前記遠心荷重手段は前記第二の押圧部材に環状位置に配列された複数の支持部と、前記各支持部に支持された遠心機構部とよりなり、前記遠心機構部は前記支持部にて支持されて揺動可能な揺動部材を有し、前記揺動部材は前記第一の押圧部材側の一端部に形成された作用部と、反対側の端部に備え付けられた質量体とを有することを特徴とする。
【００２３】
係る構成を備えることで、第二の押圧部材が回転することによって、質量体に遠心力が働き、揺動部材が支持部にて揺動する。そして、揺動部の一端に形成された作用部が第一の押圧部に当接する。これによって、遠心荷重手段によって発生される荷重値が設定される。
【００２４】
本発明に係るクラッチ機構体は、前記第一の押圧部材、前記第二の押圧部材は同心上に配置され、前記弾性荷重手段はダイヤフラムスプリングであり、そのダイヤフラムスプリングは環状部と、当該環状部から内側方向に延び先端が自由端とされた複数のレバー部とを有し、前記環状部の外周縁は前記第一の押圧部材の外周縁に設けられた突起部にて支持されると共に、前記複数のレバー部が前記第二の押圧部材に支持され、前記第二の押圧部材の前記各遠心機構部の各揺動部材の各作用部が隣合う各レバー部間のスリット部を挿通して前記第一の押圧部材を付勢可能にしてなることを特徴とする。
【００２５】
係る構成を備えることで、弾性荷重手段であるダイヤフラムスプリングは第一の押圧部材と第二の押圧部材との間で圧縮して配置される。また、第二の押圧部材に備え付けられた遠心機構部の作用によって遠心荷重を発生させることができる。
【００２６】
本発明に係るクラッチ機構体は、前記第一の押圧部材と前記ダイヤフラムスプリングとの間に遠心荷重伝達部材が配置され、前記第二の押圧部材の前記各遠心機構部の各作用部が前記遠心荷重伝達部材を介して前記第一の押圧部材を付勢可能にしてなることを特徴とする。
【００２７】
また、本発明に係るクラッチ機構体は、前記遠心荷重伝達部材は環状部と、当該環状部の外周縁から外側に向かって延びる複数のプレート部とを有し、前記プレート部が前記ダイヤフラムスプリングの前記各スリット部に対応する位置に配置されることを特徴とする。
【００２８】
係る構成を備えることで、遠心機構部の作用部がプレート部を介して第一の押圧部材を付勢することができる。したがって、作用部のみによって直接第一の押圧部材を付勢するよりも第一の押圧部材に当接する面積が大きくなり、遠心荷重手段が効率良く第一の押圧部材を付勢することが可能となる。
【００２９】
本発明に係るクラッチ機構体は、前記第二の押圧部材における前記ダイヤフラムスプリングに対抗する側面には隆起部が環状に形成され、前記隆起部が前記レバー部の前記自由端近傍に当接することによって前記ダイヤフラムスプリングが圧縮して配置されることを特徴とする。
【００３０】
係る構成を備えることで、弾性荷重手段は第一の押圧部材の外周縁に設けられた突起部とダイヤフラムスプリングに形成された隆起部とによって固定され圧縮された状態となる。これによって、ダイヤフラムスプリングが第一の押圧部材を回転駆動力出力部側に付勢し、ダイヤフラムスプリングによって発生される荷重値が設定される。
【００３１】
本発明に係るクラッチ機構体は、前記隆起部の内径は、前記弾性荷重手段によって発生される荷重値が前記最大滑り限界値未満となるように決定されてなることを特徴とする。
【００３２】
係る構成を備えることで、弾性荷重手段によって発生する荷重の低減は、隆起部の内径を小さくすることによって実現される。このように、極めて簡易な構造によって、ドライバーがクラッチレバーを操作するのに必要な力を低減できるクラッチ機構体を得ることができる。
【発明の効果】
【００３３】
以上の本発明は、回転駆動力出力部に対する押圧機構部の押圧力がそれほど必要のないエンジン回転数の低い状態では、その押圧力を低減させ、押圧力が必要になるエンジン回転数の高い状態にて、回転駆動力入力部の回転数の上昇に伴って押圧力が補われることを特徴とするものである。
【００３４】
すなわち、本発明は、回転駆動力出力部に対する押圧機構部の押圧力を必要な時にだけ必要な押圧力となるように可変としたものである。これによって、回転駆動力出力部に対する押圧機構部の押圧力を最大トルク発生時を基準として常に一定に設定した従来の自動二輪車と比較して、クラッチレバーを操作するのに必要な力を大幅に低減することが可能となる。
【００３５】
したがって、本発明に係るクラッチ機構体を自動二輪車に採用することによって、摩擦板に対するクラッチ押圧機構部の押圧力を確保した上で、体力の如何に拘わらず多くの人が自動二輪車の運転を楽しむことが可能となる。
【発明を実施するための最良の形態】
【００３６】
以下に、本発明の実施の形態について、図面を参照して詳細に説明する。
【００３７】
（実施の形態１）
図１（ａ）は、本発明の実施の形態１であるクラッチ機構体１００の平面図であり、図１（ｂ）は図１（ａ）のＩ（ｂ）−Ｉ（ｂ）断面図である。
【００３８】
クラッチ機構体１００は、入力系（図示せず）を介して入力される回転駆動力を出力系（図示せず）に伝達すると共にその伝達の解除を行う。ここで、入力系とは、エンジンおよびエンジンに駆動連結されてエンジンの回転駆動力をクラッチ機構体１００に伝達する周知の一連の機構部分から構成される。また出力系とは、エンジンの駆動力をクラッチ機構体１００を介して入力して駆動輪の駆動として出力する周知の一連の機構部分から構成される。
【００３９】
クラッチ機構体１００は、入力系に連結された回転駆動力出力部としての複数の摩擦板１と、出力系に連結された回転駆動力入力部としての複数のクラッチプレート１０と、摩擦板１とクラッチプレート１０とを相互に当接させるクラッチ押圧機構部とを有する。
【００４０】
このクラッチ押圧機構部は、リテーナ４、プレッシャープレート２、およびダイヤフラムスプリング３をアジャスタースクリュー６を軸として同軸上に配置してなる。すなわちクラッチ押圧機構部は摩擦板１に対向し摩擦板１を直接押圧する第一の押圧部材としてのプレッシャープレート２と、クラッチプレート１０に連結されたインナーハブ５に固定された第二の押圧部材としてのリテーナ４とを有する。また、プレッシャープレート２とリテーナ４との間に圧縮して配置され、プレッシャープレート２を摩擦板１側に付勢する定荷重手段であるところの弾性荷重手段としてのダイヤフラムスプリング３を有する。
【００４１】
摩擦板１に対向して配置されたプレッシャープレート２は解除手段としてのアジャスタースクリュー６に連結されている。このアジャスタースクリュー６は、ドライバーが手動にて操作するクラッチレバー（図示せず）によって駆動される。すなわちドライバーがクラッチレバーを操作することによって、アジャスタースクリュー６の軸と平行な方向（以下、「軸方向」と称する）にプレッシャープレート２は移動する。これによって、摩擦板１とクラッチプレート１０相互を当接させる押圧力が解除される。
【００４２】
図２（ａ）はプレッシャープレート２の平面図であり、図２（ｂ）はプレッシャープレート２の背面図である。
【００４３】
プレッシャープレート２は、環状の部材であり、インナーハブ５に形成された円筒部（図示せず）が挿通する複数の穴部２２と、中央に開口部２３とを有する。このプレッシャープレート２のダイヤフラムスプリング３に対抗する側面には、外周縁に沿って環状突起部２１が形成されている。また、摩擦板１に対抗する側面には、外周に摩擦板１を直接押圧する押圧部２４と、摩擦板１の押圧時にインナーハブ５に形成された溝（図示せず）と嵌合する複数の突起部２５とが形成されている。このプレッシャープレート２は開口部２３を介してアジャスタースクリュー６に取り付けられる。
【００４４】
図３はダイヤフラムスプリング３の平面図である。
ダイヤフラムスプリング３は、環状部３１と環状部３１の内周から円中心方向へ先細に延びスプリング機能を有する複数のレバー部３２とを有する。レバー部３２は円周方向に等間隔に設けられ、先端は自由端３２ａとなっている。また、レバー部３２の先端自由端３２ａの内側方のダイヤフラムスプリング３中心部には開口部３３が形成される。さらにレバー部３２が円周方向に等間隔に設けられ結果、各レバー部３２間にはレバー部３２を介して等間隔にスリット部３４が開口部３３から外側に放射状に延びる態様で形成される。
【００４５】
ダイヤフラムスプリング３の外周縁３５は、プレッシャープレート２の環状突起部２１に支持されている。
【００４６】
ダイヤフラムスプリング３は、図１（ｂ）に示す断面図からわかるように、ダイヤフラムスプリング３の外周を円周とした場合の中心部を中心にプレッシャープレート２側に湾曲したお椀状の形状である。したがって、ダイヤフラムスプリング３に負荷がかかっていない状態では、ダイヤフラムスプリング３とプレッシャープレート２とはダイヤフラムスプリング３の外周縁３５とプレッシャープレート２の支持部２１のみが接触した状態となっている。
【００４７】
図４（ａ）はリテーナ４の平面図、図４（ｂ）はリテーナ４の背面図、図４（ｃ）はリテーナ４の側面図、図４（ｄ）はリテーナ４においてＬ字型アームが揺動する状態を表す側面図である。
【００４８】
リテーナ４は、環状部４１を有する環状の部材であり、環状部４１に環状に配列された複数の支持部４８と、各支持部４８に支持された遠心機構部４９とを遠心荷重手段として有する。
【００４９】
リテーナ４のダイヤフラムスプリング３に対抗する側面４２には複数の隆起部４３が環状に配列する態様で形成される。このリテーナ４は、図１（ｂ）に示すようにダイヤフラムスプリング３のレバー部３２に隆起部４３が当接するように配置される。
【００５０】
遠心機構部４９は、図４（ｄ）に示すように支持部４８にて支持されて揺動する揺動部材としてのＬ字型アーム４４を有する。Ｌ字型アーム４４は、プレッシャープレート２側の一端部に形成されてプレッシャープレート２に当接する作用部４５を有する。また環状部４１を介して作用部４５と反対側の端部には円筒状のおもりである質量体４６が備えられる。作用部４５のプレッシャープレート２に当接する部分は平面状に形成されている。
【００５１】
この遠心機構部４９のＬ字型アーム４４及び作用部４５には例えばアルミ合金等の高剛性軽量材を適用するのが好ましい。一方質量体４６には特には高い剛性は必要はなく、むしろ真鍮等の比重の大きな材料とするのが好ましい。
【００５２】
そのようにすることによって遠心機構部としての効率が向上し、エンジン回転数の増減に応じて的確に遠心力に起因する押圧荷重を発生させることができる。
以上の遠心機構部４９は、環状部４１の円周方向に等間隔に配置されて円周方向に均一な押圧荷重を発生させる。
【００５３】
なお、質量体４６の形状および取り付け方は本実施の形態の態様に限定されるものではなく、質量体４６が遠心力を受けＬ字型アーム４４が揺動する構造であればよい。
【００５４】
環状部４１の各遠心機構部４９間の領域には、ボルトが挿入されるボルト挿入穴４７が形成されている。各ボルト挿入穴４７は、インナーハブ５に備えられリテーナ４側に延びる複数の円筒部に対向するように配置され、リテーナ４はボルトによって各ボルト挿入穴４７及び円筒部を介してインナーハブ５に固定される。
【００５５】
また、プレッシャープレート２はクラッチレバーの操作によって軸方向にスライド可能であるため、ダイヤフラムスプリング３は、プレッシャープレート２とリテーナ４との間にて圧縮および圧縮解除される構造となっている。
【００５６】
なお、プレッシャープレート２に形成された複数の突起部２５は、プレッシャープレート２による摩擦板１の押圧時、つまり入力系の駆動力が出力系へ伝達されている状態では、出力系に連結されたインナーハブ５に形成された溝と嵌合する。つまり、プレッシャープレート２、ダイヤフラムスプリング３、およびリテーナ４は、出力系とともに一体となって回転し、出力系に対して相対回転不能となっている。
【００５７】
遠心機構部４９のＬ字型アーム４４およびボルト挿入穴４７はそれぞれダイヤフラムスプリング３のスリット部３４に対応するように交互に等間隔に配置されている。したがって、Ｌ字型アーム４４の作用部４５は、ダイヤフラムスプリング３のスリット部３４を挿通してプレッシャープレート２に当接可能な構造となっている。
【００５８】
リテーナ４がボルトによってインナーハブ５の円筒部に固定されることによって、ダイヤフラムスプリング３はリテーナ４とプレッシャープレート２の間に圧縮して配置される。つまり、ダイヤフラムスプリング３のレバー部３２は、弾性変形した状態となり、その様に弾性変形した状態でレバー部３２がリテーナ４の隆起部４３に支持される。その結果、ダイヤフラムスプリング３の外周縁３５を支持する環状突起部２１を介してプレッシャープレート２に弾性的な定荷重が加えられる。係る弾性的な定荷重によってプレッシャープレート２は摩擦板１に付勢する。したがって、この実施の形態では押圧機構部が回転駆動力出力部と回転駆動力入力部相互を当接させる押圧力を発生する定荷重手段はダイヤフラムスプリング３によって構成される。
【００５９】
本発明のクラッチ機構体においては、プレッシャープレート２が摩擦板１を押圧する定荷重は最大滑り限界値すなわち、回転駆動力入力系から回転駆動力出力系に伝達される回転駆動力が最大時における滑り限界値の６０％以上９８％以下とするのが好ましい。さらには最大滑り限界値の６５％以上９５％以下とするのが好ましく、もっとも好ましくは７０％以上９０％以下とするのが良い。
【００６０】
定荷重が最大滑り限界値の６０％未満である場合には可変荷重によって最大滑り限界値以上の押圧荷重とするための依存範囲が過大となり可変荷重の設定が困難となる。また定荷重が最大滑り限界値の９８％を超える場合にはクラッチレバー操作性の向上がほとんど見られない。
【００６１】
定荷重が最大滑り限界値の６５％未満である場合には可変荷重によって最大滑り限界値以上の押圧荷重とするための依存範囲が大きく可変荷重の設定が簡易ではない。また定荷重が最大滑り限界値の９５％を超える場合にはクラッチレバー操作性の向上が認められるとしても不十分である。
【００６２】
定荷重が最大滑り限界値の７０％未満である場合には可変荷重によって最大滑り限界値以上の押圧荷重とするための依存範囲が小さくなく可変荷重の設定精度が厳しくなる。また定荷重が最大滑り限界値の９０％を超える場合にはクラッチレバー操作性の向上が不十分ではないとしても充分に快適なクラッチレバー操作性を得ることができない。
【００６３】
また本発明のクラッチ機構体においては、プレッシャープレート２が摩擦板１を押圧する可変荷重は、次のように設定される。
【００６４】
すなわち回転駆動力入力系から回転駆動力出力系に伝達される回転駆動力が最大時におけるエンジン回転数の時の可変荷重値と定荷重値との加算値をＷとしてＷが下式Ｉを充足するように、可変荷重は設定される。
１．０１≦Ｗ／最大滑り限界値≦１．１０……Ｉ
【００６５】
この場合に、Ｗ／最大滑り限界値が１．０１未満になると、滑りを確実に防止するための安全率が必ずしも充分ではない。一方、Ｗ／最大滑り限界値が１．１０を越える場合にはクラッチ操作の快適性が損なわれる。
【００６６】
また本発明のクラッチ機構体においては、プレッシャープレート２が摩擦板１を押圧する可変荷重は、エンジン回転数が１０００ｒｐｍ〜５０００ｒｐｍにおいて０．００４５≦可変荷重／エンジン回転数（ｌｂ／ｒｐｍ）≦０．０２５に設定される。
【００６７】
この場合に、可変荷重／エンジン回転数値が０．００４５未満になると、滑りを確実に防止するための安全率が必ずしも充分ではない。一方、可変荷重／エンジン回転数値が０．０２５を越える場合にはクラッチ操作の快適性が損なわれる。
【００６８】
（作用）
図１（ｂ）および図５を参照して、実施の形態１におけるクラッチ機構体１００の作用について説明する。
【００６９】
ドライバーがクラッチレバーを握るとクラッチレバーに連結されたアジャスタースクリュー６はリテーナ４側へ移動し、それによってプレッシャープレート２が摩擦板１から離れる方向へ移動する。これによって、プレッシャープレート２の摩擦板１に対する押圧力が解除されるため、摩擦板１とクラッチプレート１０との圧着が解除され、「クラッチの切断」が行われる。
【００７０】
この時、プレッシャープレート２は、ダイヤフラムスプリング３によって摩擦板１側に付勢されているため、プレッシャープレート２を摩擦板１から離れる方向に移動させるためには、ドライバーはダイヤフラムスプリング３のスプリング荷重に抗する力でクラッチレバーを握らなければならない。つまり、「クラッチの切断」を行うには、ドライバーは弾性荷重手段の弾性荷重に抗する力でクラッチレバーを握らなければならない。
【００７１】
ここで、ダイヤフラムスプリング３は、図１（ｂ）に示すようにプレッシャープレート２とリテーナ４との間に配置される。ダイヤフラムスプリング３は、ダイヤフラムスプリング３の一側であるプレッシャープレート２側では、ダイヤフラムスプリング３の外周縁３５がプレッシャープレート２の外周縁に設けられた環状突起部２１によって支持される。また、ダイヤフラムスプリング３は、他側であるリテーナ４側では、ダイヤフラムスプリング３のレバー部３２がリテーナ４の隆起部４３によって支持される。
【００７２】
したがって、「クラッチの切断」を行うには、リテーナ４の隆起部４３によるダイヤフラムスプリング３のレバー部３２の押さえ位置を支点、ダイヤフラムスプリング３の外周縁３５を力点として、湾曲しているダイヤフラムスプリング３を平板状にするようにレバー部３２をさらに圧縮弾性変形させなければならない。
【００７３】
このように、「クラッチの切断」を行うには、ダイヤフラムスプリング３のレバー部３２の剛性に打ち勝つ力でプレッシャープレート２を移動させなければならない。つまり、ドライバーはダイヤフラムスプリング３のレバー部３２を弾性変形させる力でクラッチレバーを握らなければならない。
【００７４】
なお、これに対して、入力系を介して入力される回転駆動力の出力系への伝達、すなわちいわゆる「クラッチの接続」は、ドライバーが握ったクラッチレバーを開放することによって行われる。つまり、ドライバーがクラッチレバーを開放することによって、アジャスタースクリュー６からプレッシャープレート２への拘束が解除される。これによって、プレッシャープレート２とリテーナ４との間で圧縮弾性変形されていた弾性荷重手段がプレッシャープレート２を摩擦板１側へ付勢することによって「クラッチの接続」が行われる。
【００７５】
ここで、リテーナ４の隆起部４３によるダイヤフラムスプリング３の押さえ付け位置（支点）がレバー部３２の根元に近い位置（剛性が高い位置）、つまり隆起部４３の内径が大きい場合、支点とダイヤフラムスプリング３の外周縁３５である力点との距離が短くなる。したがって、この場合ダイヤフラムスプリング３のレバー部３２を弾性変形させるための必要荷重は大きくなり、「クラッチの切断」を行うにはドライバーはクラッチレバーをより強い力で握らなければならない。
【００７６】
このことから、クラッチレバーを操作するのに必要な力を低減させるためには、ダイヤフラムスプリング３のレバー部３２の弾性荷重を低減させることが必要となる。弾性荷重を低減させるには、支点と力点の距離を長くすることが有効であり、これはリテーナ４の隆起部４３によるダイヤフラムスプリング３の押さえ付け位置をレバー部３２の先端側に変更することによって可能となる。すなわち、リテーナ４の隆起部４３の内径を小さくすることが有効となる。
【００７７】
リテーナ４の隆起部４３の内径が小さくなれば、プレッシャープレート２を移動させダイヤフラムスプリング３のレバー部３２を弾性変形させるための必要荷重は低減され、ドライバーがクラッチレバーを握る力も低減される。
【００７８】
このように、リテーナ４の隆起部４３の内径を小さくすると、クラッチレバーを操作するのに必要な力を低減できるのに対して、摩擦板１とクラッチプレート１０との圧着力は減少してしまう。これは、リテーナ４の隆起部４３がダイヤフラムスプリング３のレバー部３２の剛性が低い位置を押さえ付けることになり、ダイヤフラムスプリング３のプレッシャープレート２を摩擦板１側に付勢する力、つまり弾性荷重が減少するためである。
【００７９】
そこで、弾性荷重が減少した分を補う構造として、図５に示すリテーナ４に取り付けられた遠心機構部４９が機能する。
【００８０】
図５は、図１（ａ）のＶ−Ｖ断面図であり、本発明の実施の形態１であるクラッチ機構体１００においてプレッシャープレートに可変荷重が作用している状態を表す図である。
【００８１】
上述したように、入力系を介して入力される回転駆動力が出力系へ伝達された場合、すなわち「クラッチの接続」状態では、出力系の回転とともにリテーナ４も回転する。
【００８２】
このように、リテーナ４が回転することによってＬ字型アーム４４に取り付けられた質量体４６には、リテーナ４の外側に向かう遠心力が作用する。この遠心力によって質量体４６はリテーナ４の中心から離れる方向に移動し、Ｌ字型アーム４４は支持部４８を介して揺動する。そして、Ｌ字型アーム４４の作用部４５がダイヤフラムスプリング３のスリット部３４を挿通してプレッシャープレート２に当接する。
【００８３】
したがって、出力系の回転数が上昇すれば、それに連結されたリテーナ４の回転数も上昇し、質量体４６にはリテーナ４の外側に向かう遠心力が増大する。これにより、Ｌ字型アーム４４の作用部４５がプレッシャープレート２を付勢する力が増大する。このプレッシャープレート２を付勢する力が可変に設定される遠心荷重である。
【００８４】
このように、出力系の回転数上昇に伴う質量体に加わる遠心力の増大を利用することによって、弾性荷重の低減を遠心力として補うことができ、摩擦板１とクラッチプレート１０との滑りを防止する圧着力を確保することができる。
【００８５】
以上のように、クラッチ機構体１００によれば、ダイヤフラムスプリングの弾性荷重の低減は、リテーナの隆起部の内径を小さくすることによって実現される。このように、極めて簡易な構造によって、ドライバーがクラッチレバーを操作するのに必要な力を低減できるクラッチ機構体を得ることができる。さらに、弾性荷重の低減を遠心荷重によって補うことができるため、エンジン回転数が高い状態においても摩擦板１とクラッチプレート１０との間の必要圧着力を確保することが可能となる。
【００８６】
また、本発明に係るクラッチ機構体を採用した自動二輪車を運転する場合において、ギアチェンジを行う際の「クラッチの切断」後にドライバーがクラッチレバーを握って維持する力はさほど大きいものとはならない。これについて、図４のリテーナ４の側面図を参照して説明する。
【００８７】
図４（ｄ）は、「クラッチの接続」状態、つまりドライバーがクラッチレバーを握っていない時のリテーナ４の状態を表す側面図であり、図４（ｃ）は、「クラッチの切断」状態、つまりドライバーがクラッチレバーを握っている時のリテーナ４の状態を表す側面図である。
【００８８】
まず、「クラッチの接続」状態では、図４（ｄ）に示すようにＬ字型アーム４４の質量体４６には、リテーナ４の回転によってリテーナ４の外側に向かう遠心力が作用しているため、作用部４５はプレッシャープレート２に当接した状態となっている。
【００８９】
次に、ドライバーがクラッチレバーを握った「クラッチの切断」状態、つまりプレッシャープレートがダイヤフラムスプリング側に移動し、ダイヤフラムスプリングがリテーナ４側に圧縮された状態では、リテーナ４に備え付けられたＬ字型アーム４４はダイヤフラムスプリングから逆に押される状態となる。このとき、Ｌ字型アーム４４は図４（ｃ）に示すように、支持部４８を介して質量体４６がリテーナ４の中心に向かって移動するように揺動する。このように、「クラッチの切断」状態では、質量体４６は図４（ｄ）の「クラッチの接続」状態と比較して、リテーナ中心側に位置するため、質量体４６に作用する遠心力は小さくなる。
【００９０】
以上のように、本発明のクラッチ機構体においては、エンジン回転数がある一定の領域より高くなると、遠心荷重の増加によってクラッチレバー操作必要荷重は大きくなる。しかし、一旦クラッチレバーを握ってしまえば、遠心荷重が小さくなるように作用するため、クラッチレバーを握った後に維持する力はそれほど大きいものとはならない。
【００９１】
また、自動二輪車が停止する過程では、出力系の回転数の低下に伴って、リテーナ４の回転数も低下し遠心荷重が低下する。そして、自動二輪車が完全に停止した状態では、遠心荷重は作用せず弾性荷重のみが作用した状態となる。
【００９２】
したがって、次の発進までにクラッチレバーを握って維持する力は、従来と比較して格段に低減される。
【００９３】
以上にて説明したように、本発明に係るクラッチ機構によれば、クラッチ押圧機構部が摩擦板を押圧する力を維持しつつ、つまり摩擦板とクラッチプレートとの圧着力を確保した上で、体力の如何に拘わらず多くの人が自動二輪車の運転を楽しむことが可能となる。
【００９４】
（実施の形態２）
図６（ａ）は、本発明の実施の形態２であるクラッチ機構体２００の断面図であり、図６（ｂ）は、ベースプレート７の平面図である。
【００９５】
実施の形態１の構造は、リテーナ４のＬ字型アーム４４の作用部４５が、プレッシャープレート２に対して直接当接して荷重を加えるものである。これに対して、クラッチ機構体２００は、図６（ａ）に示すようにＬ字型アーム４４の作用部４５とプレッシャープレート２との間に図６（ｂ）に示すような遠心荷重伝達部材としてのベースプレート７を装着させる構造のものである。その他の構造については実施の形態１と同様である。
【００９６】
ベースプレート７は、環状部７１とその環状部７１の外周縁から外側に向かって延びるプレート部７２とを有する。
【００９７】
プレート部７２はダイヤフラムスプリング３のスリット部３４のうちＬ字型アーム４４に対応するスリット部３４に配置され、かつスリット部３４とほぼ同じ形状である。
【００９８】
このベースプレート７を設けることによって、Ｌ字型アーム４４の作用部４５がプレート部７２を介してプレッシャープレート２を付勢することができる。これによって、プレッシャープレート２が遠心荷重を受ける面積は、Ｌ字型アーム４４の作用部４５のみでプレッシャープレート２を付勢するよりも大きくなる。
【００９９】
したがって、Ｌ字型アーム４４の揺動によって発生する遠心荷重が効率良くプレッシャープレート２に伝わることとなる。
【０１００】
（実施の形態３）
図７は、本発明の実施の形態３であるクラッチディスク押圧組立体３００の断面図である。
【０１０１】
上記で説明したように、実施の形態１におけるクラッチ機構体１００および実施の形態２におけるクラッチ機構体２００は、ともに弾性荷重手段としてダイヤフラムスプリングを使用する構造のものである。これに対して実施の形態３におけるクラッチ機構体３００は、弾性荷重手段としてコイルスプリング８を使用するものである。その他の構成については、クラッチ機構体１００と同様である。
【０１０２】
リテーナ４は、ボルト８１によってインナーハブ５に固定されており、コイルスプリング８は、そのボルト８１を囲むように配置されている。リテーナ４の固定によってコイルスプリング８は、リテーナ４から荷重を受けている。そして、コイルスプリング８は、スプリングカップ８２を介してプレッシャープレート２に対して押し付け力を与えている。つまり、コイルスプリング８は、リテーナ４とプレッシャープレート２との間で圧縮して配置される。
【０１０３】
クラッチ機構体３００における弾性荷重手段によって発生する荷重値は、コイルスプリング８が、プレッシャープレート２を摩擦板１側に付勢することによって設定される。
【０１０４】
したがって、この実施の形態では押圧機構部が回転駆動力出力部と回転駆動力入力部相互を当接させる押圧力を発生する定荷重手段はコイルスプリング８によって構成される。
【０１０５】
また、遠心荷重手段によって発生する荷重値は、出力系の回転によるリテーナ４の回転によって質量体４６のリテーナ４の外側に向かう遠心力によって設定される。つまり、質量体４６に作用する遠心力によってＬ字型アーム４４の作用部４５がプレッシャープレート２を付勢することによって設定される。
【０１０６】
上記で説明したように、実施の形態１および２におけるクラッチ機構体は、弾性荷重手段としてダイヤフラムスプリングを使用したものであり、実施の形態３におけるクラッチ機構体は弾性荷重手段としてコイルスプリングを使用したものである。ここで、図１０の模式図を用いてダイヤフラムスプリングとコイルスプリングとの特性の違いについて説明する。図１０に示す模式図の横軸はクラッチレバー移動量を示し、縦軸はクラッチレバー操作荷重を示す。
【０１０７】
コイルスプリングを使用する場合には、クラッチレバーの移動量すなわちドライバーがクラッチレバーを握る量に比例してコイルスプリングは圧縮される。したがって、図１０に示すように、ドライバーがクラッチレバーを深く握るほどクラッチレバーを握る力、すなわち「クラッチレバー操作荷重」は増加し、クラッチレバーを限界まで握った状態でそれを維持するには大きな力を必要とする。
【０１０８】
これに対して、ダイヤフラムスプリングを使用する場合について説明する。クラッチレバーの握り始めの段階、すなわち湾曲したダイヤフラムスプリングが弾性変形している過程では、図１０に示すようにドライバーがクラッチレバーを握る力はコイルスプリングを使用した場合とほぼ同じである。しかし、ドライバーが、クラッチレバーを限界まで握りダイヤフラムスプリングが平板状に弾性変形した状態では、クラッチレバーを握って維持するための力は、コイルスプリングを使用する場合と比較して格段に小さい。
【０１０９】
このように、ダイヤフラムスプリングはコイルスプリングと比較して、クラッチレバーの操作性において優れた特性を有する。
【０１１０】
以下に、本発明実施の形態２のクラッチ機構体の実施例を従来のクラッチ機構体と比較して示す。なお、本実施例における自動二輪車は、ハーレーダビッドソン（登録商標）２００４年式ＦＬＳＴＦ／１４５５ｃｃである。
【０１１１】
（実施例）
本発明実施例のデータを表１に示す。
本実施例に係るクラッチ機構体は、出力系の回転数に関係なく一定の荷重でプレッシャープレートを摩擦板側に付勢する弾性荷重手段と、出力系の回転数上昇に伴って増加する荷重でプレッシャープレートを摩擦板側に付勢する遠心荷重手段とを有する。したがって、最大トルクが発生するエンジン回転数３０００ｒｐｍにおいて、弾性荷重と遠心荷重との合計荷重が最大滑り限界値である２４６ｌｂ以上となるように、弾性荷重および遠心荷重をそれぞれ設定した。
【０１１２】
具体的には弾性荷重を２２０ｌｂに設定した。この２２０ｌｂという数値は最大滑り限界値である２４６ｌｂの、８９％の荷重である。そして、その設定した弾性荷重である２２０ｌｂとなるように、リテーナに形成された環状の隆起部の内径（以下、「リテーナリング直径」と称する。）を７５ｍｍに決定した。
【０１１３】
また本実施例のクラッチ機構体においては、プレッシャープレート２が摩擦板１を付勢する可変荷重である遠心荷重が１０００ｒｐｍで４．８ｌｂ、２０００ｒｐｍで１９．２ｌｂ、３０００ｒｐｍで４３．２ｌｂ、４０００ｒｐｍで７６．７ｌｂ、５０００ｒｐｍで１１９．９ｌｂとした。
【０１１４】
これは最大滑り限界値が決定されるエンジン回転数が３０００ｒｐｍであり、最大滑り限界値が２４６ｌｂであることから、Ｗ／最大滑り限界値＝（２２０＋４３．２）／２４６＝１．０７０に設定したものである。
【０１１５】
また同時にエンジン回転数が１０００ｒｐｍ〜５０００ｒｐｍにおいて０．００４８≦可変荷重／エンジン回転数（ｌｂ／ｒｐｍ）≦０．０２４の設定とした。
【０１１６】
以上の定荷重及び可変荷重の設定によって滑りを確実に防止するための安全率が得られかつ快適なクラッチ操作が達成できる。
【０１１７】
クラッチ機構体はその揺動部材をアルミ合金とし、質量体を真鍮により製作した。
【０１１８】
【表１】
2006189166.tif 000003
【０１１９】
（比較例）
表２に従来のクラッチ機構体におけるデータを示す。また、表１に示すデータと表２に示すデータとを比較したグラフを図８に示す。
【０１２０】
ここに示す従来のクラッチ機構体は、プレッシャープレートと、ダイヤフラムスプリングと、リテーナとを備え、リテーナが遠心機構部を有さない構造のものである。したがって、従来のクラッチ機構体は、ダイヤフラムスプリングがエンジン回転数に関係なく一定の荷重でプレッシャープレートを押圧する弾性荷重のみを有するものである。
【０１２１】
比較例のクラッチ機構体のリテーナリング直径は９５ｍｍである。この点を前述の実施例のクラッチ機構体と比較すると、実施例のクラッチ機構体ではリテーナの隆起部によるダイヤフラムスプリングのレバー部押し付け位置が比較例のクラッチ機構体と比較して２０ｍｍ内側に変更されていることが分かる。
【０１２２】
また比較例のクラッチ機構体における弾性荷重はエンジンの回転数に関係なく３００ｌｂで一定である。このときのドライバーが実際にクラッチレバーを操作するのに必要な荷重（以下、「クラッチレバー操作必要荷重」と称する。）は、８．０ｋｇ一定である。
【０１２３】
弾性荷重が３００ｌｂに設定される根拠は、本自動二輪車は最大トルクが１１．０ｋｇ−ｍ／３０００ｒｐｍであり、この値から摩擦板とプレッシャープレートとの間に滑りが起こらないための必要最低限の荷重、すなわち最大滑り限界値は２４６ｌｂと算出される。この最大滑り限界値２４６ｌｂに余裕をもたせ弾性荷重が３００ｌｂに設定される。
【０１２４】
このように比較例の自動二輪車におけるクラッチ機構体においては、最大トルク値から弾性荷重を決定し、エンジン回転数に関係なく一定に設定されていたため、最大トルクが発生していない領域、特にエンジン回転数の低い領域では、必要以上の弾性荷重であった。このような事情から、エンジントルクの大きい比較例の自動二輪車では、クラッチレバー操作必要荷重が大きくなっていた。
【０１２５】
【表２】
2006189166.tif 000004
【０１２６】
図９におけるレバー部３２に示した実線部が本実施例におけるレバー部３２の押し付け位置であり、点線部は比較例のレバー部の押し付け位置である。このように、レバー部３２の押し付け位置を円内側に変更することによって、レバー部３２はより弾性変形し易くなる。
【０１２７】
ここで、表１および図８から、実施例のクラッチ機構体では、定荷重と可変荷重との合計荷重は、
（１）エンジン回転数の全回転数域で滑り限界値を超えている。
（２）２０００ｒｐｍ以下では最大滑り限界値未満であり、最大トルクが発生する３０００ｒｐｍ以降にて遠心荷重の増加によって最大すべり限界値以上になっている。
【０１２８】
このように、本発明に係るクラッチ機構体は、エンジン回転数上昇に伴って増加する遠心荷重を発生される遠心機構部を有するため、弾性荷重と遠心荷重との合計荷重が最大トルク発生時のエンジン回転数にて最大滑り限界値に達するように可変とすることができる。これによって、弾性荷重を低減することが可能となるとともに、摩擦板とプレッシャープレートとの圧着力も両者に滑りが生じない荷重を確保することが可能となる。
【０１２９】
弾性荷重を最大滑り限界値未満に低減することによって、すなわちリテーナリング直径を従来と比較して小さくすることによって、表１からかわるように、クラッチレバー操作必要荷重はエンジン回転数４０００ｒｐｍまでは従来のものと比較して低減されている。
【０１３０】
そして、図８からわかるように、エンジン回転数４０００ｒｐｍを越えたところで本実施例における合計荷重と従来の弾性荷重とは一致し、５０００ｒｐｍでは逆に本実施例における合計荷重が遠心荷重の増加によって、従来の弾性荷重を上回っている。そして、表１からわかるように、クラッチレバー操作必要荷重も従来の荷重よりも大きくなっている。
【０１３１】
しかし、本発明が主な対象とする自動二輪車は、エンジントルクが大きいものであり、そのような自動二輪車の場合、通常の走行時にはエンジン回転数は高くても３０００ｒｐｍ程度である。
【０１３２】
したがって、通常の走行時においては、本発明に係るクラッチ機構体を採用することによって、従来のものと比較してクラッチレバー操作必要荷重が低減できることは明らかである。
【産業上の利用可能性】
【０１３３】
以上のように、本発明は、自動二輪車、自動四輪車等の自動車のクラッチ機構体に適用することができる。
【図面の簡単な説明】
【０１３４】
【図１】（ａ）は、本発明の実施の形態１のクラッチ機構体１００の平面図であり、（ｂ）は、（ａ）のＩ（ｂ）−Ｉ（ｂ）断面図である。
【図２】（ａ）は、本発明に係るクラッチ機構体１００におけるプレッシャープレートの平面図であり、（ｂ）は、本発明に係るクラッチ機構体１００におけるプレッシャープレートの背面図である。
【図３】本発明に係るクラッチ機構体１００におけるダイヤフラムスプリングの平面図である。
【図４】（ａ）は、本発明に係るクラッチ機構体１００におけるリテーナの平面図であり、（ｂ）は、本発明に係るクラッチ機構体１００におけるリテーナの背面図であり、（ｃ）は、本発明に係るクラッチ機構体１００におけるリテーナの側面図であり、（ｄ）は、本発明に係るクラッチ機構体１００におけるリテーナにおいてＬ字型アームが揺動する状態を表す側面図である。
【図５】図１（ａ）のＶ−Ｖ断面図である。
【図６】（ａ）は、本発明の実施の形態２のクラッチ機構体２００の断面図であり、（ｂ）は、本発明に係るクラッチ機構体２００におけるベースプレートの平面図である。
【図７】本発明の実施の形態３のクラッチ機構体３００の断面図である。
【図８】本発明の実施の形態２のクラッチ機構体２００におけるデータと従来のクラッチ機構体におけるデータとを比較したグラフ図である。
【図９】ダイヤフラムスプリングのレバー部押さえ付け位置を表す図である。
【図１０】ダイヤフラムスプリングとコイルスプリングの特性を表す模式図である。
【符号の説明】
【０１３５】
１……摩擦板、
２……プレッシャープレート、
３……ダイヤフラムスプリング、
４……リテーナ、
５……インナーハブ、
６……アジャスタースクリュー、
１０……クラッチプレート、
１００……クラッチ機構体。
【図１】
2006189166.tif 000005
【図２】
2006189166.tif 000006
【図３】
2006189166.tif 000007
【図４】
2006189166.tif 000008
【図５】
2006189166.tif 000009
【図６】
2006189166.tif 000010
【図７】
2006189166.tif 000011
【図８】
2006189166.tif 000012
【図９】
2006189166.tif 000013
【図１０】
2006189166.tif 000014